(57)【要約】【目的】薄くて且つ充分な強度を有し、表示面を大型化でき、撓曲性を有するパネル状の表示装置と、それを用いて時刻をデジタル表示する電子時計を提供する。【構成】撓曲可能なプラスチック板２０の裏面に、見切り層２２を介して電気泳動表示素子を用いたディスプレイモジュール２１をその表示面２１ａ側の周辺部で接着し、そのディスプレイモジュール２１と見切り層２２を含むプラスチック板２０の裏面側を覆うようにゴムシート２３を被着して、表示パネル２を構成する。見切り層２２をプラスチック板２０の前面２０ａに形成してもよい。ディスプレイモジュール２１の表面に撥水処理等を行うことで、ディスプレイモジュール２１とプラスチック板２０の隙間を小さくできる。【選択図】        図７
2007226019.tif 000002
【特許請求の範囲】
【請求項１】
撓曲可能な透明なプラスチック板の裏面に、見切り層を介して電気泳動表示素子を用いたディスプレイモジュールをその表示面側の周辺部で接着し、該ディスプレイモジュールと見切り層を含む前記プラスチック板の裏面側を覆うようにゴムシートを被着してなることを特徴とする表示装置。
【請求項２】
撓曲可能な透明なプラスチック板の前面に見切り層を形成し、該プラスチック板の裏面に電気泳動表示素子を用いたディスプレイモジュールをその表示面側の周辺部で接着し、該ディスプレイモジュールを含む前記プラスチック板の裏面側を覆うようにゴムシートを被着してなることを特徴とする表示装置。
【請求項３】
前記ディスプレイモジュールの表示面側の表面に撥水処理剤をコーティングしたことを特徴とする請求項１又は２記載の表示装置。
【請求項４】
前記ディスプレイモジュールの表示面側の表面にアンチグレア処理がなされていることを特徴とする請求項１又は２記載の表示装置。
【請求項５】
前記プラスチック板の前面又は前面と裏面に無反射処理を施したことを特徴とする請求項１乃至４のいずれか一項に記載の表示装置。
【請求項６】
前記ディスプレイモジュールの表示面側の表面に無反射処理を施したことを特徴とする請求項５記載の表示装置。
【請求項７】
前記ディスプレイモジュールが時刻を表示する複数の数字をそれぞれ表示する部分からなることを特徴とする請求項１乃至６のいずれか一項に記載の表示装置。
【請求項８】
請求項７記載の表示装置と、該表示装置を駆動して前記ディスプレイモジュールの各部分によって時刻をデジタル表示させる時刻表示用ＬＳＩとを備えたことを特徴とする電子時計。
【発明の詳細な説明】
【技術分野】
【０００１】
この発明は、電気泳動表示素子を用いたディスプレイモジュールを利用した表示装置、およびその表示装置によって時刻をデジタル表示する電子時計に関する。
【背景技術】
【０００２】
薄型の表示装置としては、液晶表示装置が各種の電子機器に広く使用されており、近年ではコンピュータやテレビジョン等の大型カラーディスプレイとしても使用されるようになっている。テレビジョンの大型カラーディスプレイとしては、プラズマディスプレイも使用されている。
しかし、液晶表示装置やプラズマディスプレイはＣＲＴ表示器に比べれば格段に薄型になったとはいえ、まだ用途によっては充分に薄くはないし、曲げることは出来ない。また、携帯機器のディスプレイとして使用する場合には消費電力の一層の低減が臨まれる。
【０００３】
そこで、一層の薄型化と低消費電力化を実現する表示装置として、電気泳動表示素子を用いた電子ペーパーとも称されるディスプレイモジュールが開発され、電子ブックや電子新聞、電子広告看板や案内表示板などへの利用が試みられている。
この電気泳動表示素子を用いたディスプレイモジュールは、例えば特許文献１に見られるように、基材、電極層、画像表示層、透明電極層、および透明な表面層からなる。
【０００４】
その画像表示層は、異なる極性に帯電した白色粒子と黒色粒子及びそれらを分散する分散媒を収容した直径数十μｍのマイクロカプセル（電子インク）による表示層であり、それを挟む上記電極層と透明電極層の間に発生する電界の向きに応じて、マイクロカプセル内の白色粒子と黒色粒子が電気泳動していずれか一方が表面側に集まり、白又は黒を表示する。そして、一度電界を与えて表示状態にすると、電界を印加しなくてもその表示状態を維持する不揮発性（メモリー性）を有するので、最初の表示時と表示内容を変えたり消去する時だけ電界を印加すればよいので、大幅な省電力化が可能である。
【０００５】
このような電気泳動表示素子を用いたディスプレイモジュールを、電子ペーパーとして電子ノートや電子ブックに使用する他に、パーソナルコンピュータや携帯電話、テレビなどの各種電子機器のディスプレイとして使用することも提案されている（例えば特許文献２参照）。
また、複数の異なった曲率を有する立体形状の基体に適合する表示面を形成することも提案されている（例えば特許文献３参照）。
【０００６】
【特許文献１】特開２００５−１５６７５９号公報
【特許文献２】特許第３７１９１７２号公報
【特許文献３】特許第３５２７１６７号公報
【発明の開示】
【発明が解決しようとする課題】
【０００７】
しかしながら、このような従来の電気泳動表示素子を用いたディスプレイモジュール、およびそれを用いた表示装置は、電子ペーパーや比較的小型の電子機器、小型の広告表示板あるいは案内表示板などに適用するものであり、大型のディスプレイにするには強度面などに問題があった。
この発明は、このような背景に鑑みてなされたものであり、薄くて且つ充分な強度を有し、表示面を大型化でき、撓曲性を有するパネル状の表示装置を提供することを目的とする。また、その表示装置を用いて時刻をデジタル表示する電子時計を提供することも目的とする。
【課題を解決するための手段】
【０００８】
この発明による表示装置は、上記の目的を達成するため、撓曲可能な透明なプラスチック板の裏面に、見切り層を介して電気泳動表示素子を用いたディスプレイモジュールをその表示面側の周辺部で接着し、そのディスプレイモジュールと見切り層を含む上記プラスチック板の裏面側を覆うようにゴムシートを被着してなるものである。
【０００９】
あるいは、撓曲可能な透明なプラスチック板の前面に見切り層を形成し、そのプラスチック板の裏面に電気泳動表示素子を用いたディスプレイモジュールをその表示面側の周辺部で接着し、そのディスプレイモジュールを含む上記プラスチック板の裏面側を覆うようにゴムシートを被着して構成してもよい。
【００１０】
そして、上記ディスプレイモジュールの表示面側の表面に撥水処理剤をコーティングするのが望ましい。
あるいはまた、上記ディスプレイモジュールの表示面側の表面に細かい粒子等によるアンチグレア処理を施すとよい。
さらに、上記プラスチック板の前面又は前面と裏面に無反射処理を施すとよい。
また、上記ディスプレイモジュールの表示面側の表面にも無反射処理を施すのが望ましい。
【００１１】
上記ディスプレイモジュールを、時刻を表示する複数の数字をそれぞれ表示する部分からなるように構成することができる。
この発明による電子時計は、この表示装置と、それを駆動して上記ディスプレイモジュールの複数の数字をそれぞれ表示する各部分によって時刻をデジタル表示させる時刻表示用ＬＳＩとを備えたものである。
【発明の効果】
【００１２】
この発明による表示装置は、薄くて且つ充分な強度を有し、表示面を大型化でき、撓曲性を有するパネル状の表示装置であり、建築物における室内外の任意の壁面や柱など、あるいは任意の構造物などの面に沿って自在に取り付けることができ、大型の時刻表示や広告表示、情報表示などを行うのに適している。
この発明による電子時計は、上記表示装置によって時刻をデジタル表示するので、柱や壁面などに大きく時刻を表示したり、屋外で大勢の人に見えるように時刻を表示したりすることができる。
【発明を実施するための最良の形態】
【００１３】
以下、この発明を実施するための最良の形態を図面に基づいて具体的に説明する。
図１乃至図１０はこの発明による表示装置とそれを用いた電子時計の一実施例を説明するための図であり、図１はその電子時計の正面図、図２は平面図、図３は右側面図である。図４はその表示パネルにおける見切り層の正面図、図５（ａ）（ｂ）はＬＳＩを収納する右ケースの正面図と左側面図、図６（ａ）（ｂ）は電池を収納する左ケースの正面図と右側面図、図７は図１に示す表示装置（表示パネル）のＡ−Ａ線に沿う上半部の拡大断面図である。図８は電気泳動表示素子を用いたディスプレイモジュールの一部を模式的に示す断面図、図９はその表示原理を説明するための電気泳動表示素子の拡大断面図である。図１０は電子時計としての回路構成の一例を示すブロック構成図である。
【００１４】
まず、図１乃至図３と図７によってこの表示装置の概要を説明する。
この電子時計１は、パネル状の表示装置である表示パネル２と、その表示パネル２を駆動して時刻をデジタル表示させる時刻表示用ＬＳＩを収納した右カバー３と、そのＬＳＩの電源となる電池を収納した左カバー４等によって構成されている。
表示パネル２は、図７に明示するように、撓曲可能な透明なプラスチック板２０の裏面２０ｂに、所望の色の不透明樹脂膜などによる見切り層２２を介して、電気泳動表示素子を用いたディスプレイモジュール２１をその表示面２１ａ側の周辺部２１ｂで接着し、そのディスプレイモジュール２１と見切り層２２を含むプラスチック板２０の裏面２０ｂ側全体を覆うように、ゴムシート２３を被着している。本実施例では、プラスチック板２０として、透明性の高いアクリル板を用いたが、塩化ビニール板やＰＥＴフィルムを用いることも可能である。
【００１５】
ディスプレイモジュール２１の周辺部２１ｂの接着は、接着剤を使用してもよいが、見切り層２２に接着性がある材料を使用すれば、接着剤を兼ねることもできる。ゴムシート２３の周辺部もプラスチック板２０の裏面に接着するため、接着剤や両面接着テープなどを用いてもよいが、見切り層２２に接着性がある材料を使用すれば、それによって接着することもができる。あるいは、加熱圧着によって接着してもよい。
【００１６】
この構成により、見切り層２２がスペーサの役目も果し、プラスチック板２０の裏面２０ｂとディスプレイモジュール２１の表示面２１ａとの間に隙間２４を形成し、両面が密着するのを防いでいる。また、裏面側全体にプラスチック板２０とは異なる曲がり係数を持つゴムシートを被着することによって、全体が曲り易くなると共に防湿性能も向上する。
【００１７】
見切り層が、１ｍｍ以上と厚い場合は、本発明の表示パネル２を湾曲しても、ディスプレイモジュール２１の表示面２１ａとプラスチック板２０の裏面が密着せずモアレが発生しないが、見切り層が薄い場合は、表示パネル２を湾曲した場合、ディスプレイモジュール２１の表示面２１ａとプラスチック板２０の裏面が密着しモアレが発生する恐れがある。
【００１８】
本実施例では、見切り層を０．１ｍｍと薄くするため、ディスプレイモジュール２１の表示面２１ａ側の表面にシリコン剤や四フッ化エチレン樹脂などの撥水処理剤をコーティングした。それによって、プラスチック板２０とディスプレイモジュール２１の表示面２１ａとの密着を防ぎ、モアレの発生を防止することができ、非常に薄型で、湾曲が可能である表示パネル２を実現できた。
【００１９】
また、ディスプレイモジュール２１の表示面２１ａ側の表面に細かい粒子等によりアンチグレア処理を行ってもよい。これによってもプラスチック板２０とディスプレイモジュール２１の表示面２１ａとの密着を防ぎ、モアレの発生を防止することができ、且つ表示面２１ａのギラツキも防止できる。
さらに、表示パネル２および１２のいずれにおいても、プラスチック板２０の前面２０ａ又は前面２０ａと裏面２０ｂの両面に、無機多層膜や有機多層膜をコートした無反射フィルムを接着したりするなどによって無反射処理を施すとよい。それによって視認側からの入射光がそれらの面によって反射されて視認側へ戻るのを防止できるので、表示の見易さが向上する。
また、ディスプレイモジュール２１の表示面２１ａ側の表面にも無反射処理を施すと一層見やすくなる。
【００２０】
図１および図４に示すように、見切り層２２には２個ずつの時表示窓２２ａと分表示窓２２ｂ、およびその間にコロン表示孔２２ｃが形成され、四隅付近には止めネジ用の透孔２２ｄが形成されている。そして、時表示窓２２ａと分表示窓２２ｂにはディスプレイモジュール２１のそれぞれ時刻を表示する７セグメントの数字パターン２１ｓを形成した数字表示部２１Ａ〜２１Ｄが見えるように設けられ、コロン表示孔２２ｃにはディスプレイモジュール２１のコロン表示部２１Ｅが見えるように設けられている。これらの数字表示部２１Ａ〜２１Ｄおよびコロン表示部２１Ｅは、それぞれ個別のディスプレイモジュールでもよいし、1枚のディスプレイモジュールであってもよい。
【００２１】
この表示パネル２の裏側の図１に示す正面から見て右側縁部に沿って右カバー３が、左側縁部に沿って左カバー４が、それぞれ止めネジ２５で取り付けられ、プラスチック板２０と右カバー３および左カバー４との間に、見切り層２２とゴムシート２３を挟み込んでいる。
右カバー３は図５に示すように、アルミニウム板によって細長く深さが浅いトレイ状に成形され、長手方向の両端部付近の内側に、それぞれネジ孔３１ａがバーリング加工によって設けられた凸型の金具３１が溶接により固着されている。また、底面３ａには２個の透孔３２，３３が形成され、左側面３ｂの下端部には切欠３４が形成されている。
【００２２】
この右カバー３はその一対の金具３１のネジ孔３１ａに、プラスチック板２０の表面２０ａ側から挿入された止めネジ２５がねじ込まれて固着される。
この右カバー３内には、図１０によって後述する時刻表示用ＬＳＩ５と、水晶振動子６、２個の操作スイッチＳＷ１，ＳＷ２、および昇圧回路８などが収納され、電池７およびディスプレイモジュール２１の各数字表示部２１Ａ〜２１Ｄとコロン表示部２１Ｅに接続するための図示しない配線が切欠３４から導出され、ゴムシート２３に形成した図示しない小孔からゴムシート２３の内側に導かれて配線される。
【００２３】
左カバー４は図６に示すように構成されており、図５に示した右カバーと同様に、アルミニウム板によって細長く深さが浅いトレイ状に成形され、長手方向の両端部付近の内側に、それぞれネジ孔４１ａがバーリング加工により設けられた凸型の金具４１が溶接により固着されている。しかし、底面４ａに透孔は形成されていない。そして、右側面４ｂの下端部に切欠４４が形成されている。
【００２４】
この左カバー４もその一対の金具４１のネジ孔４１ａに、プラスチック板２０の表面２０ａ側から挿入された止めネジ２５がねじ込まれて固着される。
この左カバー４内には、図１０によって後述する電池７が収納され、左カバー４内のＬＳＩ５や昇圧回路８に給電するための図示しない配線が切欠４４から導出され、ゴムシート２３に形成した図示しない小孔からゴムシート２３の内側に導かれて配線される。
この表示パネル２の厚さ、及びそれを構成する各要素の厚さの一例を示すと、プラスチック板２０が１ｍｍ、見切り層２２が０．１ｍｍ、ディスプレイモジュール２１が０．７ｍｍ、ゴムシート２３が１．０ｍｍで、合計２．８ｍｍ程度である。
【００２５】
ここで、この実施例に使用する電気泳動表示素子を用いた表示部材であるディスプレイモジュール２１について説明するが、これは前述した特許文献１〜３などにも開示されているように公知のものである。図８はこの電気泳動表示素子を用いたディスプレイモジュールの一部を模式的に示す断面図であり、図９はその表示原理を説明するための電気泳動表示素子の拡大断面図である。
【００２６】
図８に示すディスプレイモジュール２１は、透明な樹脂基材２１１の裏面全体にＩＴＯ（酸化インジューム錫）膜による透明電極２１２を形成し、その上に電子インクとも称されるマイクロカプセル表示層２１３を形成してフィルム状にしている。そのフィルムを表面に画素毎の電極パターン２１６が形成されたフレキシブルプリント基板２１５上に接着剤層２１４によって接着して構成されている。
【００２７】
マイクロカプセル表示層２１３は、バインダや界面活性剤、増粘剤、純水等の混合体中に直径が数十μｍ程度の微小なマイクロカプセル２２０が多数分散している。そのマイクロカプセル２２０は、図９に示すように、透明なメタクリル樹脂等からなるカプセル殻２２１の内部に、酸化チタン等からなる白色粒子２２３とカーボンブラック等からなる黒色粒子２２４が、シリコーンオイル等の粘性の高い透明な分散媒２２２に分散された状態で封入されている。そして、白色粒子２２３は負に帯電され、黒色粒子２２４は正に帯電されている。
【００２８】
そこで、このマイクロカプセル表示層２１３を挟むように配置された電極のうち、一方の全面一体の透明電極２１２を接地し、他方のフレキシブルプリント基板２１５上の電極パターン２１６に負電圧を印加した部分では、その電界によってマイクロカプセル２２０内の負に帯電した白色粒子２２３が透明電極２１２側へ、正に帯電した黒色粒子２２４は電極パターン２１６側へ移動するので、視認側（図９の上方）から見ると白く見える。一方、電極パターン２１６に正電圧を印加した部分では、その逆向きの電界によってマイクロカプセル２２０内の正に帯電した黒色粒子２２４が透明電極２１２側へ、負に帯電した白色粒子２２３は電極パターン２１６側へ移動するので、視認側から見ると黒く見える。
【００２９】
図９における中央のマイクロカプセル２２０のように、負電圧が印加された電極パターンと正電圧が印加された電極パターンとに跨った位置のマイクロカプセル２２０内では、白色粒子２２３の一部は透明電極２１２側へ、残りは電極パターン２１６側へ移動し、黒色粒子２２４の一部は電極パターン２１６側へ移動し、残りは透明電極２１２側へ移動するので、マイクロカプセルの直径よりも、細かい表示も可能である。
【００３０】
また、印加電圧や、印加時間を調整することによって、黒色粒子２２４と白色粒子２２３を中間で混合した状態で保持して灰色等の中間調表示も可能である。
したがって、透明電極２１２と電極パターン２１６との間に印加する電圧の極性によって、白又は黒、あるいは灰色に表示状態を変化させることができる。このとき白色粒子２２３と黒色粒子２２４は分散媒２２２中を電気泳動によって移動するが、分散媒２２２の粘度が高いので、電圧を印加して表示状態を変化させた後、その電圧の印加を停止してもその表示状態を保持するメモリー性効果を持つ。
【００３１】
この実施例の場合、図１に示したディスプレイモジュールを構成する各数字表示部２１Ａ〜２１Ｄにおいて、電極パターン２１６をそれぞれ数字パターン２１ｓを構成する７つのセグメント電極と、それ以外の背景部分の周辺電極とに分けて形成する。コロン表示部２１Ｅは２個の円形電極でよい。そして、数字パターン２１ｓのセグメント電極は、表示する数字を構成するのに必要なセグメント電極にのみ正電圧を印加してその部分を黒表示にし、その他のセグメント電極と周辺電極には負電圧を印加してそれらの領域は白表示にする。
【００３２】
このディスプレイモジュールは、上述したようにメモリー性を有するため表示を変化させる時だけ駆動電圧を印加すればよいので、電力消費量が極くわずかですむ。
この実施例の電子時計の場合、時表示窓２２ａの数字表示部２１Ａは９時から１０時に変わる時と１２時から１時に変わる時だけ、数字表示部２１Ｂは１時間に１回、分表示窓２２ｂの数字表示部２１Ｃは１０分間に１回、数字表示部２１Ｄは１分間に１回、それぞれ必要なセグメント電極にのみ短時間電圧を印加するだけでよい。
【００３３】
周辺電極には一度負電圧を印加して背景を白表示にすれば、当分電圧を印加する必要はないが、時々リフレッシュしてきれいな白表示状態にするため、一旦正電圧を短時間印加した後負電圧を短時間印加するリフレッシュ処理を適当な時間間隔で行うとよい。
コロン表示部２１Ｅの円形電極には、１秒ごとに正電圧と負電圧を交互に短時間印加して、点滅表示させる。しかし、電力消費量を減らすために、コロン表示部は、白または黒に固定する方が好ましい。
【００３４】
このディスプレイモジュール２１は、上述のように超低消費電力であるばかりか、見易さの面でも、白表示が高反射率で紙の白に近く、２色表示する場合のコントラストが高く、視野角も極めて大きく（１８０°に近い）、フリッカがないなどの利点がある。さらに形状的にも、薄くて軽く、フレキシブルで割れないなどの特徴がある。
前述した実施例の表示パネル２は、このディスプレイモジュール２１を見切り層２２を介してプラスチック板２０とゴムシート２３で挟持することにより、強度を高めて曲げ易さを維持し、見易さも損なわないようにしている。
【００３５】
次に、この実施例の電子時計としての回路構成の一例を図１０によって説明する。この図１０に示す回路構成は、従来の液晶表示装置を使用するデジタル表示の電子時計と同様に構成されている。すなわち、水晶振動子６を用いて基準周波数（例えば３２．７６８ｋＨｚ）のクロック信号を発振する発振回路５１、そのクロック信号を分周する分周回路５２、その分周信号をカウントして論理的に組み合わせ、時刻信号を生成する計時回路５３、およびその時刻信号に応じて表示パネル２におけるディスプレイモジュール２１の必要な電極に電圧を印加して、数字表示部２１Ａ〜２１Ｄに時刻を表示させる表示駆動回路５４が設けられた時刻表示用ＬＳＩ５を用いる。
【００３６】
表示駆動回路５４は、各数字表示部２１Ａ〜２１Ｄの表示状態を変える時にのみ、必要なセグメント電極に短時間だけ電圧を印加すればよい点が、液晶表示装置を使用する電子時計の場合と相違する。
この時刻表示用ＬＳＩ５には、電源として電池の電圧とそれを昇圧回路８によって昇圧した電圧とを印加する。なお、電池に代えて、商用の交流電源から降圧トランスと整流平滑回路等を備えた電源アダプターを通して必要な直流電圧を供給するようにしてもよい。
【００３７】
計時回路５３には、この例では２個の操作スイッチＳＷ１，ＳＷ２が接続されており、これらの操作によって、モードを選択して、時刻合わせなどの操作を行えるようになっている。この操作スイッチＳＷ１，ＳＷ２は押しボタン式のスイッチで、図５に示した右カバーに設けられた２個の透孔３２，３３に対応する位置の内側に配置されており、右カバーの板厚だけ引っ込んでいて、不用意に操作されないようにしている。なお、この時刻表示ＬＳＩ５は、発振回路５１と分周回路５２と計時回路５３からなるコントローラＩＣと、昇圧回路８と表示駆動回路５４からなるドライバーＩＣとで構成することも可能である。
【００３８】
次に、この発明による表示装置の他の実施例を図１１によって説明する。図１１はその表示装置である表示パネルの図７と同様な拡大断面図であって、図７と対応する部分には同一の符号を付してあり、それらの詳細な説明は省略する。
この表示パネル１２は、撓曲可能な透明なプラスチック板２０の前面２０ａに見切り層２２を形成し、そのプラスチック板２０の裏面２０ｂに電気泳動表示素子を用いたディスプレイモジュール２１をその表示面２１ａ側の周辺部で接着し、そのディスプレイモジュール２１を含むプラスチック板２０の裏面２０ｂ側を覆うようにゴムシート２３を被着している。
【００３９】
この実施例では、プラスチック板２０の前面２０ａに、任意の色および形状の見切り層２２を印刷によって容易に、かつ薄く、形成することができる。
この表示パネル１２と図７によって説明した表示パネル２とは、見切り層２２の位置が相違するだけであり、この表示パネル１２によっても表示パネル２とほぼ同様な効果が得られる。但し、ディスプレイモジュール２１の表示面２１ａがプラスチック板２０の裏面に密着するため、モアレが生じる恐れがある。そこで、ディスプレイモジュール２１の表示面２１ａ側の表面にシリコン剤や四フッ化エチレン樹脂などの撥水処理剤をコーティングするとよい。それによって、プラスチック板２０とディスプレイモジュール２１の表示面２１ａとの密着を防ぎ、モアレの発生を防止することができる。
【００４０】
また、ディスプレイモジュール２１の表示面２１ａ側の表面に細かい粒子等によりアンチグレア処理を行ってもよい。これによってもプラスチック板２０とディスプレイモジュール２１の表示面２１ａとの密着を防ぎ、モアレの発生を防止することができ、且つ表示面２１ａのギラツキも防止できる。
さらに、表示パネル２および１２のいずれにおいても、プラスチック板２０の前面２０ａ又は前面２０ａと裏面２０ｂの両面に、無機多層膜フィルムを接着するなどによって無反射処理を施すとよい。それによって視認側からの入射光がそれらの面によって反射されて視認側へ戻るのを防止できるので、表示の見易さが向上する。
また、ディスプレイモジュール２１の表示面２１ａ側の表面にも無反射処理を施すと一層見やすくなる。
【００４１】
上述した実施例の電子時計は、時刻表示のみを行うようにしているが、カレンダーやその他の情報も表示するようにしてもよい。ディスプレイモジュールによって任意の文字や画像などを表示する場合には、その一方の電極パターンをドットマトリックス状にするとよい。それによって、この発明による表示装置を電子時計の時刻表示だけでなく、広告表示や案内表示、ニュース表示など各種の表示に使用することができる。
また、図９に示したマイクロカプセル２２０内の黒色粒子２２４を赤色粒子や青色粒子、緑色粒子などに変えることによって、赤色、青色、緑色などの色で表示することもでき、それらを組み合わせてカラー表示をすることも可能である。
【００４２】
これまで説明してきたように、本発明により、アクリル板等の透明なプラスチック板とゴムシートの間に、フレキシブルな電気泳動表示型のディスプレイモジュールを挟みこむことで、薄く、曲げる事が可能であり、かつ、防湿性能の良好な表示装置を提供できる。さらに、ディスプレイモジュールの表面に撥水処理やアンチグレア処理を行うことで、ディスプレイモジュールとプラスチック板等の隙間を小さくしてもモアレが発生せず、さらに薄型の表示装置を提供できる。
【００４３】
また、その表示装置に、時刻表示用ＬＳＩを備えることにより、薄く、曲げることができるデジタル方式の電子時計を提供できる。
【産業上の利用可能性】
【００４４】
この発明による表示装置（表示パネル）は、薄くて且つ充分な強度を有し、表示面が大型で撓曲性を有するので、建築物における室内外の任意の壁面や柱など、あるいは任意の構造物などの面に沿って自在に取り付けることができ、大型の時刻表示や広告表示、情報表示などを行うのに適している。プラスチック板２０とゴムシート２３とが密着しているので、屋外に設置しても問題はない防湿性が得られた。
【００４５】
固定の構造物に限らず、自動車や電車、航空機や船舶などの輸送機器の外部や内部に取り付けることもでき、据え置き型あるいは携帯型の各種電子機器や装置のディスプレイとして使用することも可能である。また、大型の表示装置に限らず、ブレスレット型の腕時計や、表示面が湾曲した置時計や柱時計などを構成したり、その他各種の小型の表示器としても利用可能である。
【図面の簡単な説明】
【００４６】
【図１】この発明による表示装置を用いた電子時計の一実施例を示す正面図である。
【図２】同じくその平面図である。
【図３】同じくその右側面図である。
【図４】図１に示した表示装置の見切り層の正面図である。
【図５】図２及び図３に示した右ケースの正面図と左側面図である。
【図６】図２に示した左ケースの正面図と右側面図である。
【００４７】
【図７】図１に示した表示装置（表示パネル）のＡ−Ａ線に沿う上半部の拡大断面図である。
【図８】この実施例の表示装置に使用する電気泳動表示素子を用いたディスプレイモジュールの一部を模式的に示す断面図である。
【図９】同じくその表示原理を説明するための電気泳動表示素子の拡大断面図である。
【図１０】この実施例の電子時計としての回路構成の一例を示すブロック構成図である。
【図１１】この発明による表示装置の他の実施例を示す図７と同様な拡大断面図である。
【符号の説明】
【００４８】
１：電子時計      ２，１２：表示パネル（表示装置）      ３：右カバー
４：左カバー      ５：時刻表示用ＬＳＩ      ６：水晶振動子      
７：電池      ８：昇圧回路
２０：プラスチック板      ２１：ディスプレイモジュール      
２１ｓ：７セグメントの数字パターン      ２１Ａ〜２１Ｄ：数字表示部      
２１Ｅ：コロン表示部      ２２：見切り層      ２２ａ：時表示窓      
２２ｂ：分表示窓      ２２ｃ：コロン表示孔      ２３：ゴムシート
２４：隙間      ２５：止めネジ      
【００４９】
５１：発振回路      ５２：分周回路      ５３：計時回路      ５４：表示駆動回路
２１１：樹脂基材      ２１２：透明電極      ２１３：マイクロカプセル表示層
２１４：接着剤層      ２１５：プリント基板      ２１６：電極パターン
２２０：マイクロカプセル      ２２１：カプセル殻      ２２２：分散媒
２２３：白色粒子      ２２４：黒色粒子 
ＳＷ１，ＳＷ２：操作スイッチ
【図１】
2007226019.tif 000003
【図２】
2007226019.tif 000004
【図３】
2007226019.tif 000005
【図４】
2007226019.tif 000006
【図５】
2007226019.tif 000007
【図６】
2007226019.tif 000008
【図７】
2007226019.tif 000009
【図８】
2007226019.tif 000010
【図９】
2007226019.tif 000011
【図１０】
2007226019.tif 000012
【図１１】
2007226019.tif 000013